(57)【要約】【課題】  ハンダ付け用パレット洗浄機において、エアー駆動によるポンプのエアー流通によるエアー流通時間を制御するタイマー制御手段によってこのポンプの駆動時間を制御するエアータイマーユニットを提供する。【解決手段】  ハンダ付け用パレット洗浄機において、エアー伝達手段１６０と、エアー流通を遮断あるいは通過に切換える切換手段１５０と、エアー流通を二方向に分流する分流手段１４０と、分流手段の一方向のエアー流通時間を制御するタイマー制御手段１１０と連動させた第一制御手段１２０と、エアー第一伝達手段１６１と、第二制御手段１３０と、エアー第二伝達手段１６２と、エアー抜き手段１６３と、エアー排出手段１８０で構成されている。【選択図】図３
0003175188.tif 000002
【実用新案登録請求の範囲】
【請求項１】
エアー流通の供給を吸入するエアー吸入手段と、前記エアー吸入手段のエアーを伝達するエアー伝達手段と、前記エアー伝達手段のエアー流通を遮断あるいは通過に切換える切換手段と、前記エアー伝達手段のエアー流通を二方向に分流する分流手段と、前記分流手段の一方向のエアー流通時間を制御するタイマー制御手段および前記タイマー制御手段と連動させたエアー流通を開閉する第一切換弁からなる第一制御手段と、前記分流手段の一方向のエアーを前記第一切換弁の一方のポートに伝達するエアー第一伝達手段と、前記分流手段の他方向のエアー流通の開閉を前記第一制御手段のエアーを一方のポートに取込んで切換える第二切換弁からなる第二制御手段と、前記第一切換弁の他方のポートのエアーを前記第二切換弁の一方のポートに伝達するエアー第二伝達手段と、前記第二制御手段からのエアー流通を排出するエアー排出手段を有するエアータイマーユニット。
【請求項２】
前記エアー第二伝達手段において、小径穴のエアー抜きするエアー抜き手段を有する請求項１に記載のエアータイマーユニット。
【請求項３】
前記エアー抜き手段の数を複数としたことを特徴とする請求項１または２に記載のエアータイマーユニット。
【請求項４】
複数のリード部品をプリント配線基板にハンダ付けするためのハンダ付け用パレット洗浄機において、エアー流通の供給を吸入するエアー吸入手段と、前記エアー吸入手段のエアーを伝達するエアー伝達手段と、前記エアー伝達手段のエアー流通を遮断あるいは通過に切換える切換手段と、前記エアー伝達手段のエアー流通を二方向に分流する分流手段と、前記分流手段の一方向のエアー流通時間を制御するタイマー制御手段および前記タイマー制御手段と連動させたエアー流通を開閉する第一切換弁からなる第一制御手段と、前記分流手段の一方向のエアーを前記第一切換弁の一方のポートに伝達するエアー第一伝達手段と、前記分流手段の他方向のエアー流通の開閉を前記第一制御手段のエアーを一方のポートに取込んで切換える第二切換弁からなる第二制御手段と、前記第一切換弁の他方のポートのエアーを前記第二切換弁の一方のポートに伝達するエアー第二伝達手段と、前記エアー第二伝達手段において、複数の小径穴によるエアー抜きするエアー抜き手段と、前記第二制御手段からのエアー流通を排出するエアー排出手段を有するエアータイマーユニット。
【考案の詳細な説明】
【技術分野】
【０００１】  本考案は、複数のリード部品をプリント配線基板にハンダ付けするためのハンダ付け用パレットに対して、洗浄液の分散吹きかけによる洗浄および水の分散吹きかけによるすすぎ洗浄を行う洗浄機において、洗浄液および水の吸入・吐出を行う流体制御手段であるエアー駆動によるポンプのエアー流通によるエアー流通時間を制御する第一制御手段および第二制御手段によってこのポンプの駆動時間を制御するエアータイマーユニットに関するものである。
【背景技術】
【０００２】  プリント配線基板に半導体・ＬＥＤ・電子部品を実装する為のハンダ槽ハンダ付けに使用されるフラックス残渣の付着したパレットに対してノズルの洗浄液吹きかけによる洗浄を行う洗浄機は、パレットを載置するための架台と、パレットに対して上方から洗浄液を吹きかけるためのノズルと、パレットを洗浄した後の洗浄液を、貯蔵タンク・ポンプを介して、循環させるための洗浄液循環装置を備えており、ノズルの洗浄液吹きかけでパレット洗浄を行う。この装置で使用されているポンプの駆動源は、電気式となっており、また、ポンプの駆動時間を自動的に制御するタイマー制御手段がない洗浄機となっている。【０００３】  例えば、特開２００８−２９６０８５号公報によれば、パレットを載置するための架台と、パレットに対して上方から洗浄液を吹きかけるためのノズルと、パレットを洗浄した後の洗浄液を、貯蔵タンク・ポンプを介して、循環させるための洗浄液循環装置を備えている洗浄機が開示されている。この洗浄機では、上方からノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。このように、洗浄液のみを循環しながらパレットを洗浄しているタイマー制御手段のない洗浄機である。つまり、この洗浄機では、作業者がずっと付き添っている必要があり、所定時間のパレットの自動洗浄が出来ないことになる。また、この装置で使用されているポンプの駆動源は、電気式となっており、有機溶剤を使用している場合電気によるスイッチの火花や電気回路による爆発の危険性があり、電気設備の無い場所での使用ができないことになる。【０００４】  一般にプリント配線基板に半導体・ＬＥＤ・電子部品を実装する為のハンダ槽ハンダ付けに使用されたフラックス残渣の付着したパレットに対してノズルの洗浄液吹きかけによる洗浄を行うタイマー制御手段のない洗浄機は、作業者がずっと付き添ってこの洗浄機の作動ＯＮおよび作動ＯＦＦの操作をしなければならないという問題があった。また、この装置で使用されているポンプの駆動源は、電気式となっており、有機溶剤を使用している場合電気によるスイッチの火花や電気回路による爆発の危険性があり、電気設備の無い場所での使用ができないという問題があった。
【先行技術文献】
【特許文献】
【０００５】
【特許文献１】特開２００８−２９６０８５号公報
【考案の概要】
【考案が解決しようとする課題】
【０００６】  プリント配線基板に半導体・ＬＥＤ・電子部品を実装する為のハンダ槽ハンダ付けに使用されたフラックス残渣の付着したパレットに対してノズルの洗浄液吹きかけによる洗浄を行う洗浄機として、パレットを載置するための架台と、パレットに対して上方から洗浄液を吹きかけるためのノズルと、パレットを洗浄した後の洗浄液を、貯蔵タンク・ポンプを介して、循環させるための洗浄液循環装置を備えているタイマーのない洗浄機が開示されている。この洗浄機では、上方からノズルにより、その下の架台に載置されたパレットに洗浄液を吹きかけパレットの洗浄を行う。そして架台の下方にパレットを洗浄した後の洗浄液をろ過するためのシート状ろ過材を設けている。その下に貯蔵タンク・ポンプからなる洗浄液循環装置を設け、洗浄液を循環しながらパレットを洗浄している。このように、洗浄液のみを循環しながらパレットを洗浄している洗浄機である。つまり、この洗浄機で洗浄されたパレットには、付着したフラックス残渣が除去され、しかし、今度は洗浄に使用された洗浄液が付着して残ってしまうことになる。また、タイマー制御手段のない洗浄機の為、作業者がずっと付き添ってこの洗浄機の作動ＯＮおよび作動ＯＦＦの操作をしなければならないという問題があった。また、有機溶剤を使用している場合電気によるスイッチの火花や電気回路による爆発の危険性があり、電気設備の無い場所での使用ができないという問題もあった。【０００７】  本考案は、上記課題に鑑みてなされたものであり、その目的は、洗浄液および水の吸入・吐出を行う流体制御手段であるポンプの駆動源を電気式ではなくエアー駆動にしたポンプを使用し、このポンプの駆動時間の制御も、電気式制御ではなく、エアーおよび機械式によってポンプのエアー流通時間を制御するエアータイマーユニットによって行うこととした。すなわち、作業者がずっと付き添っている必要がなく、作業者が最初、洗浄機の作動ＯＮと作動時間設定の操作をするだけで良い。後は所定時間のパレットの自動洗浄が出来、所定時間になったら自動的に作動ＯＦＦとなるハンダ付け用パレット洗浄機のエアータイマーユニットを提供することである。また、有機溶剤を使用している場合電気によるスイッチの火花や電気回路による爆発の危険性を回避でき、電気設備の無い場所での使用が可能となるハンダ付け用パレット洗浄機のエアータイマーユニットを提供することである。
【課題を解決するための手段】
【０００８】  本考案のエアータイマーユニットは、複数のリード部品をプリント配線基板にハンダ付けするためのハンダ付け用パレット洗浄機において、エアー流通の供給を伝達するエアー伝達手段と、エアー伝達手段のエアー流通を遮断あるいは通過に切換える切換手段と、エアー伝達手段のエアー流通を二方向に分流する分流手段と、分流手段の一方向のエアー流通時間を制御するタイマー制御手段およびタイマー制御手段と連動させたエアー流通を開閉する第一切換弁からなる第一制御手段と、分流手段の一方向のエアーを第一切換弁の一方のポートに伝達するエアー第一伝達手段と、分流手段の他方向のエアー流通の開閉を第一制御手段のエアーを一方のポートに取込んで切換える第二切換弁からなる第二制御手段と、第一切換弁の他方のポートのエアーを第二切換弁の一方のポートに伝達するエアー第二伝達手段と、エアー第二伝達手段において、複数の小径によるエアー抜きするエアー抜き手段と、第二制御手段からのエアー流通を排出するエアー排出手段で構成されている。
【考案の効果】
【０００９】  本考案のエアータイマーユニットは、複数のリード部品をプリント配線基板にハンダ付けするためのハンダ付け用パレット洗浄機において、洗浄液および水の吸入・吐出を行う流体制御手段であるエアー駆動によるポンプの駆動時間の制御が、このポンプのエアー流通によるエアー流通時間を制御するエアータイマーユニットを備えたので、自在に所定時間設定できる。作業者が、ずっと付き添っている必要がなく最初、洗浄機の作動ＯＮと作動時間設定の操作をするだけで所定時間の洗浄が自動的に行える。さらに、ポンプの駆動源をエアー式としたので、また、エアータイマーユニットの駆動源をエアーおよび機械式としたので、有機溶剤を使用している場合電気によるスイッチの火花や電気回路による爆発の危険性を回避できる。また、電気設備の無い場所での使用を可能となる。
【図面の簡単な説明】
【００１０】
【図１】  本考案の実施の形態におけるエアータイマーユニット作動ＯＮ時を概略的に示した平面図である。
【図２】  本考案の実施の形態におけるエアータイマーユニット作動ＯＦＦ時を概略的に示した平面図である。
【図３】  図１を概略的に示した空気圧システムの説明図である。
【図４】  図２を概略的に示した空気圧システムの説明図である。
【図５】  本考案の実施の形態におけるハンダ付け用パレット洗浄機に備えたエアータイマーユニット作動ＯＮ時を概略的に示した作動説明図である。
【図６】  比較例におけるパレット洗浄機の説明をするために概略的に示した図である。
【考案を実施するための形態】
【００１１】以下、本考案の実施の形態について図に基づいて説明する。
（実施の形態）
本考案の実施の形態の構成について説明する。
【００１２】  図１では、エアー流通の供給を吸入するエアー吸入手段１７０と、エアー吸入手段のエアーを伝達するエアー伝達手段１６０と、エアー伝達手段のエアー流通を遮断あるいは通過に切換える切換手段１５０と、エアー伝達手段のエアー流通を二方向に分流する分流手段１４０と、分流手段のＴ型継手サブポート１４３方向のエアー流通時間を制御するタイマー制御手段１１０およびタイマー制御手段と連動させたエアー流通を開閉する第一切換弁１２１からなる第一制御手段１２０と、分流手段のＴ型継手サブポート１４３方向のエアーを第一切換弁の第一吸入ポート１２３に伝達するエアー第一伝達手段１６１と、分流手段のＴ型継手メインポート１４２方向のエアー流通の開閉制御する為に第一制御手段からのエアーを第二サブポート１３３に取込んで切換える第二切換弁１３１からなる第二制御手段１３０と、第一切換弁１２１の第一排出ポート１２４からのエアーを第二切換弁１３１の第二サブポート１３３に伝達するエアー第二伝達手段１６２と、エアー第二伝達手段において複数の小径穴によるエアー抜きするエアー抜き手段１６３と、第二制御手段１３０からのエアー流通を排出するエアー排出手段１８０で構成されている。このエアータイマーユニット１００の作動ＯＮ時が図示されている。また図２では、作動ＯＦＦ時が図示されている。図３では、図１を概略的に示した空気圧システムの説明が図示されている。図４では、図２を概略的に示した空気圧システムの説明が図示されている。図５では、ハンダ付け用パレット洗浄機に備えたエアータイマーユニット１００の作動ＯＮ時の作動説明が図示されている。
【００１３】  図１に示されている様に、作動ＯＮ時のエアータイマーユニット１００では、エアー流通の供給を吸入するエルボ継手１７１とストレート継手１７２からなるエアー吸入手段１７０と、エアー吸入手段１７０のエアーを伝達するφ１０チューブ１６０ａからなるエアー伝達手段１６０と、エアー伝達手段１６０のエアー流通を遮断あるいは通過に切換えるバルブレバー１５２を開く位置にしたバルブ１５１からなる切換手段１５０と、エアー伝達手段１６０のエアー流通を二方向に分流するＴ型継手１４１からなる分流手段１４０と、分流手段１４０のＴ型継手サブポート１４３方向のエアー流通時間を制御するタイマー制御手段１１０およびタイマー制御手段と連動させたエアー流通を開閉する第一切換弁１２１からなる第一制御手段１２０と、分流手段１４０のＴ型継手サブポート１４３方向のエアーを第一切換弁１２１の第一吸入ポート１２３に伝達するエアー第一伝達手段１６１と、分流手段のＴ型継手メインポート１４２方向のエアー流通の開閉制御する為に第一制御手段１２０のエアーを第二サブポート１３３に取込んで切換える第二切換弁１３１からなる第二制御手段１３０と、第一切換弁１２１の第一排出ポート１２４からのエアーを第二切換弁１３１の第二サブポート１３３に伝達するエアー第二伝達手段１６２と、エアー第二伝達手段１６２において、複数の小径穴１６３ａによる微少のエアー抜きするエアー抜き手段１６３と、第二制御手段１３０からのエアー流通を排出するエアー排出手段１８０で構成されている。このとき、第一切換弁１２１のスプール先端ブロック１２２がタイマー制御手段１１０の案内円盤１１２の作動ＯＮガイド面１１２ａに追従している作動板１１３によって押されているので、第一切換弁１２１内をエアーが通過し、さらにエアー第二伝達手段１６２を通過する。そして第二切換弁１３１の第二サブポート１３３にエアーが流通することにより第二流路弁１３４を開き、第二切換弁１３１の第二メインポート吸入１３２ａと第二メインポート排出１３２ｂの間をエアーが通過可能となっている。そしてエアーがφ１０チューブ１６０ａ内を通過してエアー排出手段１８０により排出される。この図中のＡ部では、タイマー制御手段の作動ＯＮ時が拡大図示されている。詳細については、図３で、説明することとする。
【００１４】  図２に示されている様に、作動ＯＦＦ時のエアータイマーユニット１００では、エアーが、エアー流通の供給をエルボ継手１７１とストレート継手１７２からなるエアー吸入手段１７０により吸入して、φ１０チューブ１６０ａからなるエアー伝達手段１６０を通過し、バルブレバー１５２を開く位置にしたバルブ１５１内を通過し、エアー伝達手段のエアー流通を二方向に分流する分流手段１４０のＴ型継手１４１において、Ｔ型継手メインポート１４２の方向とＴ型継手サブポート１４３の方向へ分流する。ここで、Ｔ型継手サブポート１４３の方向へ分流したエアーは、エアー第一伝達手段１６１のφ６チューブ１６１ａ内を通過して第一切換弁１２１の第一吸入ポート１２３まで来ている。このとき、作動板１１３の作動円盤側基準面１１３ａ１がタイマー制御手段１１０の案内円盤１１２の作動ＯＦＦ切欠き部１１２ｂの作動ＯＦＦ切欠き部基準面１１２ｂ１に案内され入り込んで上がる為、第一切換弁１２１のスプール先端ブロック１２２が追従して上がって第一切換弁１２１の第一流路弁１２５を閉じるので、エアーが通過できない状態になる。そして、第一切換弁１２１の第一排出ポート１２４と第二切換弁１３１の第二サブポート１３３を接続しているエアー第二伝達手段１６２のφ６チューブ１６２ａにエアー抜き手段１６３である複数の小径穴１６３ａを備えているので、φ６チューブ１６２ａ内の残存エアーがなくなり、第二切換弁１３１の第二サブポート１３３に対するエアーによる負荷がない状態になって流路弁１３４が閉じられＴ型継手メインポート１４２の方向エアーが第二切換弁１３１の第二メインポート吸入１３２ａで遮断されることになる。この図中のＢ部では、タイマー制御手段の作動ＯＦＦ時が拡大図示されている。詳細については、図４で、説明することとする。
【００１５】  図３に示されている様に、作動ＯＮ時のエアータイマーユニット１００では、エアーが、エアー流通の供給をエルボ継手１７１とストレート継手１７２からなるエアー吸入手段１７０により吸入して、φ１０チューブ１６０ａからなるエアー伝達手段１６０を通過し、バルブレバー１５２を開く位置にしたバルブ１５１内を通過してエアー伝達手段のエアー流通を二方向に分流する分流手段１４０のＴ型継手１４１において、Ｔ型継手メインポート１４２の方向とＴ型継手サブポート１４３の方向へ分流する。ここで、Ｔ型継手サブポート１４３の方向へ分流したエアーは、エアー第一伝達手段１６１のφ６チューブ１６１ａ内を通過して第一切換弁１２１の第一吸入ポート１２３まで来ている。このとき、タイマー制御手段１１０の案内円盤軸１１４の延長上に設けたタイマーツマミ１００ａ（図５参照）を目盛板（図示省略）のゼロから所定時間の目盛まで時計方向へ回すことによりタイマー制御手段１１０の所定時間分ゼンマイ（図示省略）を巻いて設定し、そしてタイマー制御手段１１０のスタートと同時にタイマーツマミ１００ａ（図５参照）が反時計方向（ゼンマイ解放方向）に回りもどる。タイマー制御手段１１０の上板１１１の所定位置である作動板用支点穴１１１ａに作動板１１３を取付け回動自在とした。この作動板１１３の案内円盤１１２側の基準面を作動円盤側基準面１１３ａ１とし、第一切換弁１２１のスプール先端ブロック１２２側の基準を作動先端ブロック側基準面１１３ａ２としている。このタイマー制御手段１１０の所定時間分、案内円盤１１２の作動ＯＮガイド面１１２ａに作動板１１３の作動円盤側基準面１１３ａ１が追従していて、かつ、作動先端ブロック側基準面１１３ａ２により第一切換弁１２１のスプール先端ブロック１２２が押される。このスプール先端ブロック１２２が押されことにより、第一切換弁１２１内の第一流路弁１２５が開き、第一切換弁の第一吸入ポート１２３まで来ていたエアーが、この第一吸入ポート１２３から第一排出ポート１２４まで通過し、さらにエアー第二伝達手段１６２のφ６チューブ１６２ａ内を通過する。その際、φ６チューブ１６２ａ内のエアー流通は、エアー抜き手段１６３として複数の小径穴１６３ａを設けているので、複数の小径穴１６３ａから微少のエアー漏れを伴う。しかし、エアー第二伝達手段１６２のエアー流通の損出は、ごくわずかなので、第二切換弁１３１内の第二流路弁１３４の開閉制御に影響がない。したがって第二制御手段１３０の第二切換弁１３１の第二サブポート１３３内にエアーが入り第二切換弁１３１内の第二メインポート吸入１３２ａと第二メインポート排出１３２ｂの間の第二流路弁１３４を開く為、Ｔ型継手１４１のＴ型継手メインポート１４２の方向のエアーがエアー伝達手段１６０のφ１０チューブ１６０ａ内を通過し第二切換弁１３１の第二メインポート吸入１３２ａと第二メインポート排出１３２ｂの間を通過可能となる。そしてエアーがエアー伝達手段１６０のφ１０チューブ１６０ａ内を通過してエアー排出手段１８０のエルボ継手１７１とストレート継手１７２内を通過し、排出されることになる。
【００１６】  図４に示されている様に、作動ＯＦＦ時のエアータイマーユニット１００では、エアーが、エアー流通の供給をエルボ継手１７１とストレート継手１７２からなるエアー吸入手段１７０により吸入して、φ１０チューブ１６０ａからなるエアー伝達手段１６０を通過し、バルブレバー１５２を開く位置にしたバルブ１５１内を通過してエアー伝達手段のエアー流通を二方向に分流する分流手段１４０のＴ型継手１４１において、Ｔ型継手メインポート１４２の方向とＴ型継手サブポート１４３の方向へ分流する。ここで、Ｔ型継手サブポート１４３の方向へ分流したエアーは、エアー第一伝達手段１６１のφ６チューブ１６１ａ内を通過して第一切換弁１２１の第一吸入ポート１２３まで来ている。また、Ｔ型継手１４１において、Ｔ型継手メインポート１４２の方向のエアーは、エアー伝達手段１６０のφ１０チューブ１６０ａ内を通過し第二切換弁１３１の第二メインポート吸入１３２ａまで来ている。このとき、第一切換弁１２１の第一吸入ポート１２３まで来ているエアーは、第一切換弁１２１内の第一流路弁１２５が閉じられるので遮断されることになる。すなわち、Ｔ型継手１４１のＴ型継手サブポート１４３の方向に分流したエアーの流通を制御するタイマー制御手段１１０およびタイマー制御手段と連動させたエアー流通を開閉する第一切換弁１２１からなる第一制御手段１２０において、タイマー制御手段１１０の案内円盤軸１１４の延長上に設けたタイマーツマミ１００ａ（図５参照）を目盛板（図示省略）のゼロから所定時間の目盛まで時計方向へ回すことによりタイマー制御手段１１０の所定時間分ゼンマイ（図示省略）を巻いて設定し、そしてタイマー制御手段１１０のスタートと同時にタイマーツマミ１００ａ（図５参照）が反時計方向（ゼンマイ解放方向）に回りもどる。この所定時間を経過した時目盛板（図示省略）のゼロの位置で、作動板１１３の作動円盤側基準面１１３ａ１がタイマー制御手段１１０の案内円盤１１２の作動ＯＦＦ切欠き部１１２ｂの作動ＯＦＦ切欠き部基準面１１２ｂ１に案内され、入り込んで上がる為、第一切換弁１２１のスプール先端ブロック１２２が追従して上がり、第一切換弁１２１の第一流路弁１２４を閉じるので、エアーが、第一切換弁１２１の第一吸入ポート１２３で遮断され通過できない状態になる。そして、第一切換弁１２１の第一排出ポート１２４へは、エアー圧が来ていない為、第一切換弁１２１の第一排出ポート１２４と第二切換弁１３１の第二サブポート１３３を接続しているエアー第二伝達手段１６２のφ６チューブ１６２ａ内にエアーが残ったままとなる。この残存エアーをそのままにしておくと、第二切換弁１３１内の第二流路弁１３４の閉じ制御できず第二流路弁１３４が開いた状態となり誤作動の原因となる。そのため、本考案では、エアー抜き手段１６３である複数の小径穴１６３ａを備えている。この複数の小径穴１６３ａによりφ６チューブ１６２ａ内の残存エアーをなくすことができる。したがって、第二切換弁１３１の第二サブポート１３３に対するエアー負荷なし状態になって第二流路弁１３４が閉じられ、Ｔ型継手１４１のＴ型継手メインポート１４２の方向のエアーがエアー伝達手段１６０のφ１０チュー���１６０ａ内を通過し第二切換弁１３１の第二メインポート吸入１３２ａで遮断されることになる。
【００１７】  図５に示されている様に、ハンダ付け用パレット洗浄機に備えた作動ＯＮ時のエアータイマーユニットにおいて、洗浄機本体１０の上下の中間部に下部の流体収容室下板１０ａと上部の流体収容室上板１０ｂからなる流体収容室１０ｃを設けている。この流体収容室１０ｃに水より比重の小さい洗浄液３０（例えば、荒川化学工業株式会社製、パインアルファ３５０ＶＦ：比重０．７６）と水３１（比重１．０）を収容する。比重の大小による軽重の関係から、上層が洗浄液３０で下層が水３１となる。そして洗浄機本体１０の上部のパレット収容室１０ｄの底部仕切りとなる流体収容室上板１０ｂは、パンチングメタル形状としている。パレット収容室１０ｄの上側に洗浄液３０の分散吹きかけあるいは水３１の分散吹きかけを行う複数のマニホールド穴３ａを有したマニホールド３が、洗浄機本体の左側のフランジ左３ｂと洗浄機本体の右側のフランジ右３ｃに支持されている。また、洗浄機本体１０の下部のポンプ収容室１０ｅにポンプ２を取り付けている。次に動作のエアーの流れについて説明する。エアーコンプレッサーの供給源９と接続したエアーホース７をエアータイマーユニット１００のエアー吸入手段１７０のエルボ継手１７１に接続し、エアータイマーユニット１００のタイマーツマミ１００ａにより伝達時間を制御する。そしてエアータイマーユニット１００のエアー排出手段１８０のエルボ継手１７１とポンプ吸気口２ａをエアーホース７で接続してポンプ２がエアーの吸気とポンプ排気口２ｂからの排気によって流体の吸入、吐出の制御を行う。ここで作動ＯＮ時のエアータイマーユニット１００について、エアーが、エアー流通の供給をエルボ継手１７１とストレート継手１７２からなるエアー吸入手段１７０により吸入して、φ１０チューブ１６０ａからなるエアー伝達手段１６０を通過し、バルブレバー１５２を開く位置にしたバルブ１５１内を通過してエアー伝達手段のエアー流通を二方向に分流する分流手段１４０のＴ型継手１４１において、Ｔ型継手メインポート１４２の方向とＴ型継手サブポート１４３の方向へ分流する。ここで、Ｔ型継手サブポート１４３の方向へ分流したエアーは、エアー第一伝達手段１６１のφ６チューブ１６１ａ内を通過して第一切換弁１２１の第一吸入ポート１２３まで来ている。このとき、タイマー制御手段１１０の案内円盤軸１１４の延長上に設けたタイマーツマミ１００ａを目盛板（図示省略）のゼロから所定時間の目盛まで時計方向へ回すことによりタイマー１１０制御手段の所定時間分ゼンマイ（図示省略）を巻いて設定し、そしてタイマー制御手段１１０のスタートと同時にタイマーツマミ１００ａが反時計方向（ゼンマイ解放方向）に回りもどる。タイマー１１０の上板１１１の所定位置である作動板用支点穴に作動板１１３を取付け回動自在とした。この作動板１１３の案内円盤１１２側の基準面を作動円盤側基準面１１３ａ１とし、第一切換弁１２１のスプール先端ブロック１２２側の基準を作動先端ブロック側基準面１１３ａ２としている。このタイマー制御手段１１０の所定時間分、案内円盤１１２の作動ＯＮガイド面１１２ａに作動円盤側基準面１１３ａ１が追従していて、かつ、作動先端ブロック側基準面１１３ａ２により第一切換弁１２１のスプール先端ブロック１２２が押されている。このスプール先端ブロック１２２が押されことにより、第一切換弁１２１内の第一流路弁１２５が開き、第一切換弁の第一吸入ポート１２３まで来ていたエアーが、この第一吸入ポート１２３から第一排出ポート１２４まで通過し、さらにエアー第二伝達手段１６２のφ６チューブ１６２ａ内を通過する。その際、φ６チューブ１６２ａ内のエアー流通は、エアー抜き手段１６３として複数の小径穴１６３ａを設けている。この複数の小径穴１６３によるわずかのエアー漏れは、エアー流通に対してほとんど影響ない状態である。そして第二制御手段１３０の第二切換弁１３１の第二サブポート１３３内にエアーが入り第二切換弁１３１内の第二メインポート吸入１３２ａと第二メインポート排出１３２ｂの間の第二流路弁が１３４を開く為、Ｔ型継手１４１のＴ型継手メインポート１４２の方向のエアーがエアー伝達手段１６０のφ１０チューブ１６０ａ内を通過し第二切換弁１３１の第二メインポート吸入１３２ａと第二メインポート排出１３２ｂの間を通過可能となる。そしてエアーがエアー伝達手段１６０のφ１０チューブ１６０ａ内を通過してエアー排出手段１８０のエルボ継手１７１とストレート継手１７２内を通過し、排出されポンプ吸気口２ａとエアーホース７で接続されている。次に動作の流体の流れについて説明する。流体収容室１０ｃの上層の洗浄液３０の右側に、吸込むストレーナー２３をストレーナー用継手２２と接続してホルダレバー２１付きホルダ２０に取り付けている。このストレーナー２３を上下に回動切換えるホルダレバー２１付きホルダ２０に吸込ホース６ａの端面を接続し、もう一方の端面とポンプ吸入口２ｃを接続する。  ポンプ吐出口２ｄと継手４とフランジ右３ｂを吐出ホース６ｂで接続して、複数のマニホールド穴３ａより洗浄液３０の分散吹きかけが行われる。そして分散吹きかけられた洗浄液は流体収容室上板１０ｂを通過して  流体収容室１０ｃの上層の洗浄液３０に戻り再びストレーナー２３により吸入され、ポンプ吸入口２ｃ、ポンプ吐出口２ｄを通過して複数のマニホールド穴３ａより洗浄液３０の分散吹きかけが再び繰り返し行われる。最初、流体収容室１０ｃには、水より比重の小さい洗浄液３０と水３１の二層となっている。パレット収容室１０ｄのパレット８に対する洗浄液３０の分散吹きかけを繰返すことで、汚れ成分３２と不純物３３が発生する。この汚れ成分３２は、パレット８上に残ったフラックスの反応物であり、比重が０．７６＜汚れ成分＜１．０となり洗浄液３０と水３１との間に層を形成している。また、不純物３３は、パレット８のハンダ付けに使用された残渣の鉛フリーハンダ合金のスズがフラックスのロジンや有機酸と反応して生成される水に不溶な白色の金属塩であり、比重が１．０＜不純物となり水３１の下に層を形成することになる。
【００１８】  次に、本実施の形態の作用効果について比較例と比較して説明する。
図６に示されている様に、比較例は、本実施の形態と比較して、パレットを載置するための架台４１と、パレットに対して上方から洗浄液を吹きかけるためのノズル４２と、パレットを洗浄した後の洗浄液４３を、貯蔵タンク４４を介して、循環させるための洗浄液循環装置４６を備えている。この洗浄機４０では、上方からノズル４２により、その下の架台４１に載置されたパレットに洗浄液４３を吹きかけパレットの洗浄を行う。そして架台４１の下方にパレットを洗浄した後の洗浄液をろ過するためのシート状ろ過材４７を設けている。その下に貯蔵タンク４４・ポンプ４５からなる洗浄液循環装置４６を設け、洗浄液４３を循環しながらパレットを洗浄している。このように、洗浄液のみを循環しながらパレットを洗浄している洗浄機である。つまり、この洗浄機で洗浄されたパレットには、付着したフラックス残渣が除去され、しかし、今度は洗浄に使用された洗浄液が付着して残ってしまうことになる。また、タイマー制御手段のない洗浄機の為、作業者がずっと付き添ってこの洗浄機の作動ＯＮおよび作動ＯＦＦの操作をしなければならないという問題があった。
【００１９】  これに対して、本実施の形態によれば、本考案のエアータイマーユニットは、洗浄液および水の吸入・吐出を行う流体制御手段であるポンプの駆動源を電気式ではなくエアー駆動にしたポンプを使用し、このポンプの駆動時間の制御も、電気式制御ではなく、エアーおよび機械式によってポンプのエアー流通時間を制御するエアータイマーユニットによって行うこととした。すなわち、作業者がずっと付き添っている必要がなく、作業者が最初、洗浄機の作動ＯＮと作動時間設定の操作をするだけで良い。後は所定時間のパレットの自動洗浄が出来、所定時間になったら自動的に作動ＯＦＦとなるハンダ付け用パレット洗浄機のエアータイマーユニットを提供することである。また、有機溶剤を使用している場合電気によるスイッチの火花や電気回路による爆発の危険性を回避でき、電気設備の無い場所での使用が可能となる。
【産業上の利用可能性】
【００２０】  本考案は、パレットに対する洗浄液の分散吹きかけによる洗浄および水の分散吹きかけによるすすぎ洗浄を行う洗浄機において、エアー駆動によるポンプの駆動時間を制御するエアータイマーユニットに特に有利に適用され得る。
【符号の説明】
【００２１】  ２  ポンプ、２ａ  ポンプ吸気口、２ｂ  ポンプ排気口、２ｃ  ポンプ吸入口、２ｄ  ポンプ吐出口、３  マニホールド、３ａ  マニホールド穴、３ｂ  フランジ左、３ｃ  フランジ右、４  継手、５  排水バルブ、５ａ  ハンドル、６ａ  吸入ホース、６ｂ  吐出ホース、７  エアーホース、８  パレット、９  エアーコンプレッサーの供給源、１０  洗浄機本体、１０ａ  流体収容室下板、１０ｂ  流体収容室上板、１０ｃ  流体収容室、１０ｄ  パレット収容室、１０ｅ  ポンプ収容室、２０  ホルダ、２１  ホルダレバー、２２  ストレーナー用継手、２３  ストレーナー、３０  洗浄液、３１  水、３２  汚れ成分、３３  不純物、１００  エアータイマーユニット、１００ａ  タイマーツマミ、１１０  タイマー制御手段、１１１  上板、１１１ａ  作動板用支点穴、１１２  案内円盤、１１２ａ  作動ＯＮガイド面、１１２ｂ  作動ＯＦＦ切欠き部、１１２ｂ１  作動ＯＦＦ切欠き部基準面、１１３  作動板、１１３ａ１  作動円盤側基準面、１１３ａ２  作動先端ブロック側基準面、１１４  案内円盤軸、１２０  第一制御手段、１２１  第一切換弁、１２２  スプール先端ブロック、１２３  第一吸入ポート、１２４  第一排出ポート、１２５  第一流路弁、１３０  第二制御手段、１３１  第二切換弁、１３２ａ  第二メインポート吸入、１３２ｂ  第二メインポート排出、１３４  第二流路弁、１４０  分流手段、１４１  Ｔ型継手、１４２  Ｔ型継手メインポート、１４３  Ｔ型継手サブポート、１５０  切換手段、１５１  バルブ、１５２  バルブレバー、１６０  エアー伝達手段、１６０ａ  φ１０チューブ、１６１  エアー第一伝達手段、１６１ａ  φ６チューブ、１６２  エアー第二伝達手段、１６２ａ  φ６チューブ、１６３  エアー抜き手段、１６３ａ  小径穴、１７０  エアー吸入手段、１７１  エルボ継手、１７２  ストレート継手、１８０  エアー排出手段、
【図１】
0003175188.tif 000003
【図２】
0003175188.tif 000004
【図３】
0003175188.tif 000005
【図４】
0003175188.tif 000006
【図５】
0003175188.tif 000007
【図６】
0003175188.tif 000008